(57)【要約】【課題】  入力操作デバイスの種類が増えても、表示アプリケーションプログラムの作成に手間や時間の増大が抑制される表示システムを提供する。【解決手段】  複合機２は、複数の設定内容をレベル分けした状態で記憶しておき、入力操作デバイスから表示画面の提供が要求されると、それらの設定内容の情報をレベル分けした状態で要求元の入力操作デバイスに提供し、入力操作デバイスは、複合機２から提供された設定内容の情報のうち当該入力操作デバイスに割り付けられたレベルに対応する情報のみを抽出し、この抽出した情報に基づいて表示画面を作成して表示部に表示するようにした。【選択図】      図１
2007086885.tif 000002
【特許請求の範囲】
【請求項１】
所定の処理を実行する処理装置と前記所定の処理に関する指示を入力するための表示部を有する入力操作デバイスとが通信可能に構成され、前記指示を入力するための表示画面を前記入力操作デバイスの表示部に表示させる表示システムであって、
前記処理装置は、
前記指示に係る複数の設定内容をレベル分けした状態で記憶する記憶部と、
入力操作デバイスから前記表示画面の提供が要求されると、前記記憶部に記憶された前記設定内容の情報をその入力操作デバイスに送信する送信部とを備え、
前記入力操作デバイスは、
前記処理装置から前記設定内容の情報を受信すると、該情報のうち当該入力操作デバイスに割り付けられたレベルに対応する情報のみを抽出し、この抽出した情報に基づいて表示画面を作成して前記表示部に表示させる表示制御部と、
前記表示画面で入力された指示内容を前記処理装置に送信する送信部とを備え、
前記処理装置は、前記入力操作デバイスから指示内容を受信すると、その指示内容にしたがって所定の処理を実行することを特徴とする表示システム。
【請求項２】
前記複数の設定内容は、指示を入力する必要性の高低に応じてレベル分けされていることを特徴とする請求項１に記載の表示システム。
【請求項３】
前記各設定内容には、予めデフォルト値が設定されており、
前記処理装置は、前記表示画面で入力されなかった設定内容についてはデフォルト値にしたがって所定の処理を実行することを特徴とする請求項１または２に記載の表示システム。
【請求項４】
前記設定内容の情報は、構造化されたテキストで記述されたものであることを特徴とする請求項１にないし３のいずれかに記載の表示システム。
【発明の詳細な説明】
【技術分野】
【０００１】
本発明は、所定の処理を実行する処理装置とその処理に関する指示を入力するための表示部を有する入力操作デバイスとが通信可能に構成され、前記指示を入力するための表示画面を入力操作デバイスの表示部に表示させる表示システムに関する。
【背景技術】
【０００２】
一般的に、コピー機能やファクシミリ機能などの複数の機能を備える複合機には、ユーザがそれらの機能に関する処理についての指示を入力するための操作パネルが搭載されている。また、この操作パネルには、例えばＬＣＤ（Liquid Crystal Display）等で構成された表示部が通常備えられており、この表示部には、前記各機能に係る複数の設定内容が表示される。
【０００３】
一方、この種の複合機は、パーソナルコンピュータ（以下、ＰＣという）と通信可能に構成されており、該ＰＣから送信される画像データをプリント出力する際に、ＰＣのモニタに前記設定内容を含む表示画面を表示し、その設定内容に関しユーザに設定や選択等の入力操作を行わせるようになっている。
【発明の開示】
【発明が解決しようとする課題】
【０００４】
前記操作パネルに設置される表示部の表示サイズとＰＣのモニタの表示サイズとは異なるため、表示可能な設定内容の数が異なる。すなわち、一般的に、操作パネルに設置される表示部はＰＣのモニタより表示サイズが小さいため、操作パネルの表示部に表示する設定内容は、ＰＣのモニタに表示する設定内容の中でも、より高い頻度で又は必ず設定や選択等の入力操作が行われるものに限定する必要がある。
【０００５】
そこで、従来では、操作パネルに設置される表示部及びＰＣのモニタのそれぞれに対して表示部に表示すべき設定内容を設定し、その設定内容を含む表示画面を構成する表示アプリケーションプログラムを作成するという手法を採用していた。
【０００６】
しかしながら、このような手法では、前述の操作パネルやＰＣのモニタとは異なる種類の入力操作デバイスが通信可能に接続された場合には、その入力操作デバイスの表示部に表示すべき設定内容を設定し、その設定内容を含む表示画面を構成する表示アプリケーションプログラムを作成する必要があり、操作パネルやＰＣのモニタ等の入力操作デバイスの種類が増えるほど、表示画面を構成するプログラムの作成に手間や時間を要するという不具合がある。
【０００７】
本発明は、上記事情に鑑みてなされたもので、入力操作デバイスの種類が増えても、表示アプリケーションプログラムの作成に要する手間や時間の増大が抑制される表示システムを提供することを目的とする。
【課題を解決するための手段】
【０００８】
請求項１に記載の発明は、所定の処理を実行する処理装置と前記所定の処理に関する指示を入力するための表示部を有する入力操作デバイスとが通信可能に構成され、前記指示を入力するための表示画面を前記入力操作デバイスの表示部に表示させる表示システムであって、前記処理装置は、前記指示に係る複数の設定内容をレベル分けした状態で記憶する記憶部と、入力操作デバイスから前記表示画面の提供が要求されると、前記記憶部に記憶された前記設定内容の情報をその入力操作デバイスに送信する送信部とを備え、前記入力操作デバイスは、前記処理装置から前記設定内容の情報を受信すると、該情報のうち当該入力操作デバイスに割り付けられたレベルに対応する情報のみを抽出し、この抽出した情報に基づいて表示画面を作成して前記表示部に表示させる表示制御部と、前記表示画面で入力された指示内容を前記処理装置に送信する送信部とを備え、前記処理装置は、前記入力操作デバイスから指示内容を受信すると、その指示内容にしたがって所定の処理を実行することを特徴とするものである。
【０００９】
この発明によれば、入力操作デバイスにおいて、処理装置から前記設定内容（設定の対象となる内容）の情報のうち当該入力操作デバイスに割り付けられたレベルに対応する情報のみを抽出し、この抽出した情報に基づいて表示画面を作成して表示部に表示させるようにしたので、例えば、考えられ得る全ての設定内容の情報をレベル分けした状態で処理装置に予め格納しておき、入力操作デバイスから表示画面の提供が要求されたときには、入力操作デバイスの種類に拘わらずそれらの情報を全て提供するように構成すると、処理装置と通信可能な入力操作デバイスの種類が増えても、その新たに設置された入力操作デバイスの種類の識別処理を行ったり、該入力操作デバイス用の表示アプリケーションプログラムの新たな作成や追加を行ったりする必要が無い。
【００１０】
請求項２に記載の発明は、請求項１に記載の表示システムにおいて、前記複数の設定内容は、指示を入力する必要性の高低に応じてレベル分けされていることを特徴とするものである。
【００１１】
この発明によれば、複数の設定内容は、指示を入力する必要性の高低に応じてレベル分けされているので、入力操作デバイスの表示部の表示能力に応じて、各設定内容の表示の有無が決定される。表示能力は、例えば入力操作デバイスに設けられる表示部の表示サイズである。
【００１２】
請求項３に記載の発明は、請求項１または２に記載の表示システムにおいて、前記各設定内容には、予めデフォルト値が設定されており、前記処理装置は、前記表示画面で入力されなかった設定内容についてはデフォルト値にしたがって所定の処理を実行することを特徴とするものである。
【００１３】
この発明によれば、各設定内容について予めデフォルト値が設定されており、前記処理装置は、前記表示画面で入力されなかった設定内容についてはデフォルト値にしたがって所定の処理を実行するようにしたので、表示画面で入力されなかった設定内容についての処理が簡素化される。
【００１４】
請求項４に記載の発明は、請求項１にないし３のいずれかに記載の表示システムにおいて、前記設定内容の情報は、構造化されたテキストで記述されたものであることを特徴とするものである。
【００１５】
この発明によれば、前記設定内容の情報は、構造化されたテキストで記述されたものとしたので、設定内容のレベル分けや前記デフォルト値の設定が簡素化される。
【発明の効果】
【００１６】
請求項１に記載の発明によれば、処理装置は、処理装置と通信可能に接続される入力操作デバイスの種類に関係なく、同一の設定内容の情報を入力操作デバイスに提供するだけでよいため、入力操作デバイスの種類が増えても、表示画面を構成するプログラムの作成に要する手間や時間の増大が抑制される表示システムを実現することができる。
【００１７】
請求項２に記載の発明によれば、入力操作デバイスの表示部の表示能力に適した設定内容の表示を行うことができる。
【００１８】
請求項３に記載の発明によれば、前記表示画面で入力されなかった設定内容についてはデフォルト値にしたがって所定の処理を実行するようにしたので、表示画面で入力されなかった設定内容についての処理、延いては当該表示システムの構築が簡単なものとなる。
【００１９】
請求項４に記載の発明によれば、設定内容のレベル分けや前記デフォルト値の設定が容易となるため、当該表示システムの構築が簡単なものとなる。
【発明を実施するための最良の形態】
【００２０】
以下、本発明に係る表示システムの実施形態について説明する。図１は、表示システムの第１の実施形態の構成を示すブロック図である。
【００２１】
図１に示すように、本実施形態における表示システム１は、複合機２、パーソナルコンピュータ（以下、ＰＣという）３及び携帯電話機４の各電子機器を備えて構成されており、複合機２とＰＣ３との間、及び、複合機２と携帯電話機４との間では、ＬＡＮ（Local Area Network）等の通信ネットワーク５を利用した有線通信又は無線通信による通信が可能となっている。複合機２は、処理装置の一例である。
【００２２】
複合機２は、コピー機能、プリンタ機能、スキャナ機能及びファクシミリ機能等の複数の機能を兼ね備えた装置であり、画像読取部２１、画像形成部２２、操作部６、通信部２３、外部記憶部２４及び本体制御部２５を有する。なお、説明の都合上、図１では、操作部６を、複合機２本体から分離して図示している。また、ＰＣ３、携帯電話機４及び操作部６は入力操作デバイスの一例であり、以下の説明においては、ＰＣ３、携帯電話機４及び操作部６を総称して入力操作デバイスという。
【００２３】
画像読取部２１は、ＣＣＤ（Charge Coupled Device）等の撮像素子、露光ランプ、コンタクトガラス等を備え、原稿の画像を電気的に読み取るものである。画像形成部２２は、画像読取部２１で取得された画像データや電子機器（例えばＰＣ３や携帯電話機４等）から送信される画像データ等に基づき、トナー又はインクを用いて記録紙に画像を形成するものである。
【００２４】
通信部２３は、ＰＣ３や携帯電話機４との間でＬＡＮ（Local Area Network）等の通信ネットワーク５を利用した有線通信又は無線通信を行うものである。また、通信部２３は、操作部６との間で、該操作部６における表示部６１に表示する表示画面を構成する情報を操作部６に送信したり、前記表示画面で選択・設定された設定内容を示す情報を操作部６から受信したりするものである。外部記憶部２４は、画像読取部２１によって読み取られた画像データのファイル等を記憶するＨＤＤ（Hard Disk Drive）等からなる。
【００２５】
本体制御部２５は、例えば制御プログラムを記憶するＲＯＭや一時的にデータを記憶するＲＡＭからなる図略の記憶部が内蔵されたマイクロコンピュータからなり、複合機２全体の動作制御を司るものである。本体制御部２５は、画像読取部２１、画像形成部２２、操作部６、通信部２３、外部記憶部２４と通信可能に接続されており、スキャナ動作に必要な各部の動作制御を行うスキャナコントローラ、ファクシミリ動作に必要な各部の動作制御を行うファクシミリコントローラ、プリンタ動作に必要な各部の動作制御を行うプリンタコントローラ、コピー動作に必要な各部の動作制御を行うコピーコントローラ及びネットワークコントローラとして機能する。
【００２６】
一方、操作部６は、ユーザが印刷実行指示を入力するためのスタートボタン、実行中の印刷（画像形成）動作を停止させるためのストップキー及び印刷部数等を入力するためのテンキー、各種設定入力用にタッチパネル機能を有する液晶ディスプレイ等からなる表示部６１と通信部６２とを備える。なお、前記スタートボタン、ストップキー及びテンキーは図示を省略している。通信部６２は、複合機２本体の通信部２３との間で前述の各種情報の通信を行うものである。
【００２７】
また、操作部６は、例えば制御プログラムを記憶するＲＯＭや一時的にデータを記憶するＲＡＭからなる図略の記憶部が内蔵されたマイクロコンピュータからなる操作制御部６３を有する。
【００２８】
ＰＣ３は、表示部３１と、入力操作部３２と、装置本体３３とを備える。表示部３１は、ＣＲＴ（Cathode-Ray Tube）、ＬＣＤ（Liquid Crystal Display）、ＰＤＰ（Plasma Display Panel）あるいはリアプロジェクター等からなり、図４や図７に示す画面の表示を行う。入力操作部３２は、後述の制御部３３２等に所望の処理・動作を行わせる指示や各種情報を入力するためのものであり、例えばキーボードやマウスに相当する。装置本体３３は、通信部３３１及び制御部３３２が搭載されているとともに、各種のプログラムやデータを記憶する例えばハードディスク等からなる外部記憶部３３３が備えられている。
【００２９】
通信部３３１は、複合機２との間で前記通信ネットワーク５を介した有線通信又は無線通信を行うものである。制御部３３２は、例えば制御プログラムを記憶するＲＯＭや一時的にデータを記憶するＲＡＭからなる図略の記憶部が内蔵されたマイクロコンピュータからなる。
【００３０】
携帯電話機４は、他人が所有する図略の携帯電話機を介してその所有者と通話によるコミュニケーションを行うことができるものであり、操作部４１、音入出力部４２、表示部４３、通信部４４及び制御部４５を有する。
【００３１】
操作部４１は、数字や機能等が割り当てられた複数のプッシュボタンがマトリックス状に配列されてなり、電話番号や各種のコマンド等を入力するためのものである。音入出力部４２は、当該携帯電話機４の使用者の音声等を入力する、例えば音声を電気信号に変換するマイクロホン等で構成される音入力部と、他の通信機器から送出された音声等を外部に出力する、例えば電気信号を音に変換するスピーカ等で構成される音出力部とからなる。
【００３２】
表示部４３は、例えばＬＣＤ（Liquid Crystal Display）であり、プッシュボタンにより入力された電話番号や前記各種の設定画面を表示するものである。なお、表示部４３は、ＬＣＤに限られず、有機ＥＬやプラズマ表示装置であってもよい。
【００３３】
通信部４４は、複合機２との間で無線通信を行うものである。制御部４５は、例えば制御プログラムを記憶するＲＯＭや一時的にデータを記憶するＲＡＭからなる図略の記憶部が内蔵されたマイクロコンピュータからなる。
【００３４】
ところで、前記各入力操作デバイスには前述のようにそれぞれ表示部が備えられており、各表示部の表示サイズを比較したとき、ＰＣ３、操作部６、携帯電話機４の順に表示部の表示サイズが大きく、特に携帯電話機４における表示部４３の表示サイズは極めて小さい。したがって、ＰＣ３においては、複合機２における画像読取部２１等の動作について指示する設定内容（選択や設定の対象となる内容）を比較的多数表示部に表示可能であるのに対し、携帯電話機４においては表示可能な設定内容が限定される。このように、例えば入力操作デバイスにおける表示部の表示サイズに応じて表示可能な設定内容の数が異なる。また、同種の入力操作デバイスであれば、機種等が異なっていても表示サイズはほぼ同一であると考えられる。
【００３５】
このことから、本実施形態では、入力操作デバイスの種類ごとに、入力操作デバイスの表示部に表示すべき設定内容の詳細度（以下、レベルという）を設定し、複数の設定内容を、指示を入力する必要性の高低に応じてレベル分けしている。
【００３６】
すなわち、例えば「プリント開始指示（プリント命令）」や「プリント枚数」については、ユーザにより必ず設定されるか或いは設定される回数や頻度が多いと考えられることから、入力操作デバイスの種類に拘わらず、全ての入力操作デバイスにおいて設定可能に表示するようにしている。一方、例えば、記録紙の両面にプリントする「両面プリント」や、１枚の記録紙に複数の原稿の画像をプリントする「Ｎｕｐ」等の設定内容については、ユーザにより設定される回数や頻度は比較的少ないと考えられることから、表示する余裕がある入力操作デバイスについてのみ表示するようにしている。
【００３７】
そして、複合機２は、前記複数の設定内容をレベル分けした状態で記憶しておき、入力操作デバイスから表示画面の提供が要求されると、それらの設定内容の情報をレベル分けした状態で要求元の入力操作デバイスに提供し、入力操作デバイスは、複合機２から設定内容の情報が提供されると、該情報のうち当該入力操作デバイスに割り付けられたレベルに対応する情報のみを抽出し、この抽出した情報に基づいて表示画面を作成して表示部に表示するようにしている。
【００３８】
このような機能を実現するべく、複合機２の本体制御部２５には、操作要求情報作成部２５１及び通信制御部２５２を、操作部６の操作制御部６３には、表示制御部６３１及び選択情報作成部６３２を、ＰＣ３の制御部３３２には、表示制御部３３２１及び選択情報作成部３３２２を、携帯電話機４の制御部４５には、表示制御部４５１及び選択情報作成部４５２をそれぞれ機能的に備えている。
【００３９】
複合機２本体における操作要求情報作成部２５１は、入力操作デバイスの表示部に表示する表示画面（入力操作デバイスにおいてユーザに提示し操作させる表示画面）を生成するための操作要求情報を作成するものである。
【００４０】
例えば外部記憶部２４に格納されているファイルの画像データを前記複合機２にプリントアウトさせる指示を前記入力操作デバイスから行う場合を想定する。この場合、複合機２は、外部記憶部２４に格納されている複数のファイルの中から所望のファイルを選択する操作を行わせるファイル選択画面を構成するための操作要求情報と、選択したファイルのプリント動作に関する詳細な設定内容を選択・設定する操作を行わせるための詳細設定画面を構成する操作要求情報とを作成することとなる。なお、詳細設定画面を構成する操作要求情報は、ファイル選択画面を構成する操作要求情報においてファイル選択後に作成される。
【００４１】
図２は、ファイルを選択する操作を行わせるためのファイル選択画面を構成するための操作要求情報の一例を示す図である。
【００４２】
図２に示す操作要求情報は、タグ（文字の表示方法などを指定するための特別な文字列）を含むテキスト（文章や文字列）で記述されており、ユーザに操作を行わせる設定内容やユーザに提示する項目を記述した情報（Ａ）と、各項目の詳細な設定内容を記述した情報（Ｂ）とを有する。情報（Ａ）は、＜ｌｅｖｅｌ１＞タグ，＜ｌｅｖｅｌ２＞タグ，＜ｌｅｖｅｌ３＞タグにより、入力操作デバイスの表示部に表示すべき設定内容がレベル分けして記述されている。
【００４３】
なお、本実施形態では、各タグ内には、当該タグに対応する入力操作デバイスよりレベルの小さい入力操作デバイスには表示しない情報のみが記述されるようになっており、したがって、入力操作デバイスに対応する情報は、該入力操作デバイスに対応するタグ内に記述された情報と、当該入力操作デバイスよりレベルの低い入力操作デバイスに対応するタグ内の情報とを含む。
【００４４】
すなわち、図２に示すように、＜ｌｅｖｅｌ３＞タグ内にはＰＣ３の表示部３１にのみ表示する設定内容が記述されており、＜ｌｅｖｅｌ２＞タグは、ＰＣ３の表示部と複合機２の操作部とに表示する設定内容が記述されており、＜ｌｅｖｅｌ１＞タグ内には、ＰＣ３の表示部、操作部６及び携帯電話機４の表示部に表示する設定内容が記述されている。
【００４５】
図４は、図２に示す操作要求情報に基づき、＜ｌｅｖｅｌ３＞に対応するＰＣ３の表示部３１に表示される表示画面の一例である。
【００４６】
図４に示す表示画面には、ファイルの一覧（「プレゼン資料.doc」、「データ表.xls」、「メモ.pdf」）１００と、これらのファイルの中から所望のファイルを指定する指定ボタン１０１と、指定中のファイルに格納されている画像のサムネイル画像１０２と、指定したファイルに決定する旨を入力する「選択」ボタン１０３と、ファイル名の表示領域にリンクが張られていることを示す下線１０４とが表示されている。なお、図２に示す情報（Ｂ）には、例えばファイルの一覧が「プレゼン資料.doc」、「データ表.xls」、「メモ.pdf」であることが記述されている。
【００４７】
そして、ＰＣ３の表示部３１よりレベルの低い＜ｌｅｖｅｌ２＞に対応する操作部６の表示部６１には、図２に示す操作要求情報に基づいて、例えば図５に示すように、図４に示す表示画面から、ファイル名の表示領域にリンクが張られていることを示す下線１０４が省略された表示画面が表示される。さらに、この操作部６の表示部６１よりレベルの低い＜ｌｅｖｅｌ２＞に対応する携帯電話機４の表示部４３には、図２に示す操作要求情報に基づいて、図５に示す表示画面からサムネイル画像が省略された表示画面が表示される。
【００４８】
図３は、図４〜図６のいずれかの画面において選択したファイルのプリント動作に関する詳細な設定内容を選択・設定する操作を行わせるための表示画面を構成する操作要求情報の一例を示す図である。
【００４９】
図３に示す操作要求情報は、図２に示す操作要求情報と同様、ユーザに操作を行わせる設定内容を記述した情報（Ａ）と、各設定内容における詳細な設定内容を記述した情報（Ｂ）とを有する。情報（Ａ）は、＜ｌｅｖｅｌ１＞タグ，＜ｌｅｖｅｌ２＞タグ，＜ｌｅｖｅｌ３＞タグにより、入力操作デバイスの表示部に表示すべき設定内容がレベル分けして記述されている。この操作要求情報においても、各タグ内における情報の記述態様は、図２に示す操作要求情報と同様である。
【００５０】
図７は、図３に示す操作要求情報に基づき、＜ｌｅｖｅｌ３＞に対応するＰＣ３の表示部３１に表示される表示画面の一例である。
【００５１】
図７に示す表示画面には、「Ｎｕｐプリント」、「両面プリント」の設定内容１０５、「他の複合機を選択する」ボタン１０６、印刷枚数を表示する枚数表示領域１０７、「ＯＫ」ボタン１０８、「キャンセル」ボタン１０９及び「選択に戻る」ボタン１１０の各設定内容が表示されている。
【００５２】
そして、ＰＣ３の表示部３１よりレベルの低い＜ｌｅｖｅｌ２＞に対応する操作部６の表示部６１には、図３に示す操作要求情報に基づいて、例えば図８に示すように、図７に示す表示画面から、「他の複合機を選択する」ボタン１０６が省略された表示画面が表示される。さらに、この操作部６の表示部６１よりレベルの低い＜ｌｅｖｅｌ２＞に対応する携帯電話機４の表示部４３には、図３に示す操作要求情報に基づいて、図８に示す表示画面から「Ｎｕｐプリント」、「両面プリント」の設定内容１０５が省略された表示画面が表示される。
【００５３】
なお、表示サイズが最も小さい携帯電話機４でも、複合機２にプリント出力させる際に必ず必要となる操作については、その操作を行わせるための表示を行うようにしている。また、各設定内容については、予めデフォルト値が設定されている。例えば、「Ｎｕｐプリント」、「両面プリント」の設定内容については、その機能の非実行に対応する「オフ」のデフォルト値が設定されている。このデフォルト値は、図３に示す情報（Ｂ）に記述されており、ユーザによって選択や設定がなされなかった設定内容や、表示画面に表示されない設定内容（ユーザに選択や設定を求めない設定内容）については、予め設定されたデフォルト値に基づいて処理を行うようにしている。これにより、それらの設定内容についての処理を簡単化することができる。
【００５４】
図１に戻り、複合機２本体の通信制御部２５２は、操作要求情報作成部２５１により作成された操作要求情報を要求元の入力操作デバイスに送信する処理を前記通信部２３に行わせるとともに、入力操作デバイスから送信された操作情報（表示画面での操作内容を示す情報）を受信する処理を前記通信部２３に行わせる。
【００５５】
一方、操作部６の表示制御部６３１は、本体制御部２５から送信された操作要求情報に基づいて、設定内容を有する画面を前記表示部６１に表示させるものである。すなわち、表示制御部６３１は、本体制御部２５から送信された操作要求情報のうち、＜ｌｅｖｅｌ１＞，＜ｌｅｖｅｌ２＞のタグ内に記述された情報のみを抽出し、その情報を表示部６１に表示させる。前述の図５、図８は、その表示画面の一例である。
【００５６】
選択情報作成部６３２は、表示制御部６３１により表示された表示画面において選択された設定内容を記述した選択情報を作成し、該情報を複合機２に送信する処理を前記通信部２３に行わせるものである。
【００５７】
図１０は、図６に示す表示画面において選択されたファイルを記述した選択情報の一例を示す図であり、図１０に示す選択情報は、図６に示す表示画面において「プレゼン資料.doc」が選択されたという情報を記述したものである。
【００５８】
図１１は、図９に示す表示画面において選択された設定内容を記述した選択情報の一例を示す図であり、図１１に示す選択情報は、プリント枚数が１枚に設定されている状態で「ＯＫ」ボタン１０８が選択されるとともに、「Ｎｕｐプリント」，「両面プリント」、「他の複合機選択」の各設定内容については、それぞれ「オフ」，「オフ」，「複合機２」のデフォルト値に設定されたという情報を記述したものである。
【００５９】
ＰＣ３の表示制御部３３２１は、複合機２から送信された操作要求情報に基づいて、設定内容を有する画面を前記表示部３１に表示させるものである。表示制御部３３２１は、複合機２から送信された操作要求情報のうち、＜ｌｅｖｅｌ１＞，＜ｌｅｖｅｌ２＞，＜ｌｅｖｅｌ３＞の各タグ内に記述された情報を抽出し、その情報を表示部３１に表示させる。前述の図４，図７は、その表示画面の一例である。
【００６０】
選択情報作成部３３２２は、複合機２の操作部６における選択情報作成部６３２と略同様の機能を有するので、その説明は省略する。
【００６１】
携帯電話機４の表示制御部４５１は、複合機２から送信された操作要求情報に基づいて、設定内容を有する画面を前記表示部４３に表示させるものである。表示制御部４５１は、複合機２から送信された操作要求情報のうち、＜ｌｅｖｅｌ１＞のタグ内に記述された情報のみを抽出し、その情報を表示部４３に表示させる。前述の図６、図９は、その表示画面の一例である。
【００６２】
選択情報作成部４５２は、複合機２の操作部６における選択情報作成部６３２やＰＣ３の選択情報作成部３３２２と略同様の機能を有するので、その説明は省略する。
【００６３】
次に、複合機２の外部記憶部２４に格納されているファイルをプリントさせる指示を入力操作デバイスから複合機２に対して行う場合に、複合機２及び入力操作デバイスで行われる処理を説明する。図１２、図１３は、複合機２及び入力操作デバイスにおける処理を示すフローチャートである。なお、以下の説明において、「複合機２」は、操作部６を除く複合機本体をいう。
【００６４】
図１２、図１３に示すように、入力操作デバイスにおいて、ユーザによりファイルのプリント出力が要求される操作が行われると（ステップ♯１でＹＥＳ）、入力操作デバイスは複合機２にその旨を通知する（ステップ♯２）。
【００６５】
複合機２において、入力操作デバイスから前記通知を受信すると（ステップ♯２１でＹＥＳ）、本体制御部２５は、例えば図４〜図６に示すような表示画面を作成するための操作要求情報（例えば図２に示す操作要求情報）を作成し（ステップ♯２２）、該情報を通知元の入力操作デバイスに送信する（ステップ♯２３）。
【００６６】
入力操作デバイスにおいて、制御部３３２又は制御部４５又は操作制御部６３は、複合機２から前記操作要求情報を受信すると（ステップ♯３でＹＥＳ）、受信した操作要求情報から当該入力操作デバイスに対応するレベルに対応する情報を抽出し、その抽出した情報に基づいて表示画面を作成し（ステップ♯４）、その作成した表示画面を当該入力操作デバイスの表示部に表示する（ステップ♯５）。
【００６７】
そして、その表示画面においてユーザにより指示が入力されると（ステップ♯６でＹＥＳ）、制御部３３２又は制御部４５又は操作制御部６３は、その操作内容を示す選択情報（例えば図１０に示す選択情報）を複合機２に送信する（ステップ♯７）。
【００６８】
複合機２において、入力操作デバイスから選択情報を受信すると（ステップ♯２４でＹＥＳ）、本体制御部２５は、例えば図７〜図９に示すような表示画面を作成するための操作要求情報（例えば図３に示す操作要求情報）を作成し（ステップ♯２５）、その作成した操作要求情報を通知元の入力操作デバイスに送信する（ステップ♯２６）。
【００６９】
入力操作デバイスにおいて、複合機２から前記操作要求情報を受信すると（ステップ♯８でＹＥＳ）、受信した操作要求情報から当該入力操作デバイスに対応するレベルの情報を抽出し、その抽出した情報に基づいて表示画面を作成し（ステップ♯９）、その作成した表示画面を当該入力操作デバイスの表示部に表示する（ステップ♯１０）。
【００７０】
そして、その表示画面においてユーザにより指示が入力されると（ステップ♯１１でＹＥＳ）、制御部３３２又は制御部４５又は操作制御部６３は、その操作内容を示す選択情報（例えば図１１に示す選択情報）を複合機２に送信する（ステップ♯１２）。
【００７１】
複合機２において、入力操作デバイスから選択情報を受信すると（ステップ♯２７でＹＥＳ）、受信した選択情報に基づいて、プリント動作を実行する（ステップ♯２８）。
【００７２】
以上のように、複合機２は、複数の設定内容をレベル分けした状態で記憶しておき、入力操作デバイスから表示画面の提供が要求されると、それらの設定内容の情報をレベル分けした状態で要求元の入力操作デバイスに提供し、入力操作デバイスは、複合機２から提供された設定内容の情報のうち当該入力操作デバイスに割り付けられたレベルに対応する情報のみを抽出し、この抽出した情報に基づいて表示画面を作成して表示部に表示するようにしたので、複合機２と通信可能な入力操作デバイスの種類が増えても、入力操作デバイスの種類の識別処理を行ったり、新たな入力操作デバイスの表示部に表示させる表示画面を生成するための表示アプリケーションプログラムを新たに作成したり追加したりする必要が無い。その結果、入力操作デバイスの種類が増えても、表示画面を構成するプログラムの作成に要する手間や時間の増大が抑制される表示システムを実現することができる。
【００７３】
また、前記複数の設定内容は、指示を入力する必要性の高低に応じてレベル分けしたので、入力操作デバイスにおける表示部の表示サイズを考慮して、指示を入力する必要性の高いものが優先的にその表示部に表示されることとなる。これにより、入力操作デバイスの表示部の表示能力に適した設定内容の表示を行うことができる。
【００７４】
さらに、ユーザによって選択や設定がなされなかった設定内容や、表示画面に表示されない設定内容（ユーザに選択や設定を求めない設定内容）については、予め設定されたデフォルト値とするようにしたので、それらの設定内容についての処理を簡単化することができる。
【００７５】
また、前記操作要求情報や選択情報をテキスト形式で記述したので、設定内容のレベル分けやデフォルト値の設定を容易に行うことができる。
【００７６】
なお、本発明は、前記実施形態に加えて、あるいは前記実施形態に代えて次の形態［１］，［２］に説明する変形形態も含むものである。
【００７７】
［１］前記第１の実施形態では、各タグ内には、当該タグに対応する入力操作デバイスよりレベルの小さい入力操作デバイスには表示しない情報のみを記述し、入力操作デバイスに対応する情報は、該入力操作デバイスに対応するタグ内に記述された情報と、当該入力操作デバイスよりレベルの低い入力操作デバイスに対応するタグ内の情報とを含むように構成したが、この形態に限らず、各タグ内に、対応するレベルの入力操作デバイスにより抽出される全ての情報が記述された形態であってもよい。
【００７８】
例えば、前記第１の実施形態では、複合機２の操作部６に表示する設定内容に対応する情報は、＜ｌｅｖｅｌ１＞タグ内と＜ｌｅｖｅｌ２＞タグ内とに記述された情報とし、ＰＣ３の表示部３１に表示する設定内容に対応する情報は、＜ｌｅｖｅｌ１＞タグ内、＜ｌｅｖｅｌ２＞タグ内及び＜ｌｅｖｅｌ３＞タグ内に記述された情報としたが、前記第１の実施形態において＜ｌｅｖｅｌ１＞タグ内と＜ｌｅｖｅｌ２＞タグ内とに記述された情報を＜ｌｅｖｅｌ２＞タグ内にすべて記述し、前記第１の実施形態において＜ｌｅｖｅｌ１＞タグ内、＜ｌｅｖｅｌ２＞タグ内及び＜ｌｅｖｅｌ３＞タグ内に記述された情報を＜ｌｅｖｅｌ３＞タグ内にすべて記述する形態としてもよい。
【００７９】
［２］処理装置は、前述の複合機２に限られるものではなく、ユーザからの指示に基づいて所定の処理を行うものであれば採用可能である。また、入力操作デバイスについても、前述のＰＣ３、携帯電話機４、操作部６に限られるものではなく、ユーザに操作を行わせるための表示画面を表示する表示部を有し、前記処理装置と通信可能な装置であれば採用可能である。
【図面の簡単な説明】
【００８０】
【図１】本発明に係る表示システムの一実施形態の構成を示すブロック図である。
【図２】ファイルを選択する操作を行わせるためのファイル選択画面を構成するための操作要求情報の一例を示す図である。
【図３】ファイルのプリント動作に関する詳細な設定内容を選択・設定する操作を行わせるための詳細設定画面を構成する操作要求情報の一例を示す図である。
【図４】図２に示す操作要求情報に基づき、＜ｌｅｖｅｌ３＞に対応するＰＣの表示部に表示される表示画面の一例である。
【図５】図２に示す操作要求情報に基づき、＜ｌｅｖｅｌ２＞に対応する操作部の表示部に表示される表示画面の一例である。
【図６】図２に示す操作要求情報に基づき、＜ｌｅｖｅｌ１＞に対応する携帯電話機の表示部に表示される表示画面の一例である。
【図７】図３に示す操作要求情報に基づき、＜ｌｅｖｅｌ３＞に対応するＰＣの表示部に表示される表示画面の一例である。
【図８】図３に示す操作要求情報に基づき、＜ｌｅｖｅｌ２＞に対応する操作部の表示部に表示される表示画面の一例である。
【図９】図３に示す操作要求情報に基づき、＜ｌｅｖｅｌ１＞に対応する携帯電話機の表示部に表示される表示画面の一例である。
【図１０】図６に示す表示画面において選択されたファイルを記述した選択情報の一例を示す図である。
【図１１】図９に示す表示画面において選択された設定内容を記述した選択情報の一例を示す図である。
【図１２】複合機の外部記憶部に格納されているファイルをプリントさせる指示を入力操作デバイスから複合機に対して行う場合に、複合機及び入力操作デバイスで行われる処理を示すフローチャートである。
【図１３】複合機の外部記憶部に格納されているファイルをプリントさせる指示を入力操作デバイスから複合機に対して行う場合に、複合機及び入力操作デバイスで行われる処理を示すフローチャートである。
【符号の説明】
【００８１】
１  表示システム
２  複合機
３  ＰＣ
４  携帯電話機
５  通信ネットワーク
６  操作部
２３  通信部
２５  本体制御部
２５１  操作要求情報作成部
２５２  通信制御部
３１  表示部
３２  入力操作部
３３  装置本体
３３１  通信部
３３２  制御部
３３３  外部記憶部
３３２１  表示制御部
３３２２  選択情報作成部
４３  表示部
４４  通信部
４５  制御部
４５１  表示制御部
４５２  選択情報作成部
６１  表示部
６２  通信部
６３  操作制御部
６３１  表示制御部
６３２  選択情報作成部
【図１】
2007086885.tif 000003
【図２】
2007086885.tif 000004
【図３】
2007086885.tif 000005
【図４】
2007086885.tif 000006
【図５】
2007086885.tif 000007
【図６】
2007086885.tif 000008
【図７】
2007086885.tif 000009
【図８】
2007086885.tif 000010
【図９】
2007086885.tif 000011
【図１０】
2007086885.tif 000012
【図１１】
2007086885.tif 000013
【図１２】
2007086885.tif 000014
【図１３】
2007086885.tif 000015